(57)【要約】      （修正有）【課題】顔面への密着性を高め、鼻と口を覆って飛沫感染予防でき、口元の動き、顔の表情が見え、コミュニケーシヨンがとりやすく、布や不織布素材より飛沫感染予防効果が高く、折り畳んだ状態で収納できる立体透明マスクを提供する。【解決手段】左右対称形のマスク本体Ｂの上部にマスク上部Ａを設け、両側に切り込み３、４を設け、マスク上部とマスク本体の中心部分２ｍｍ〜８ｍｍ程度つないだ状態Ｄを設け、マスク上部に弾性体Ｃを取り付け、マスク上部の両側に左右対称に小穴１ａ、２ａを設け、マスク本体の両側、左右対称に小穴１ｂ、２ｂを設け、マスク本体とマスク上部の中央部で折り目５を折り、マスク本体とマスク上部をずらして、４０°から７０°の角度を設け、小穴１ａ、１ｂ、及び小穴２ａ、２ｂをそれぞれ重ねて、止め具で固定する。【選択図】図１
0003231048.tif 000002
【実用新案登録請求の範囲】
【請求項１】
左右対称形のマスク本体（Ｂ）の上部にマスク上部（Ａ）を設け、両側に切り込み（３）と切り込み（４）を設け、マスク上部（Ａ）とマスク本体（Ｂ）の中心部分２ｍｍ〜８ｍｍ程度つないだ状態（Ｄ）を設け、マスク上部（Ａ）に弾性体（Ｃ）を取り付け、マスク上部（Ａ）の両側に左右対称の位置に小穴（１ａ）と、小穴（２ａ）を設け、マスク本体（Ｂ）の両側、左右対称の位置に小穴（１ｂ）、小穴（２ｂ）を設け、マスク本体（Ｂ）とマスク上部（Ａ）の中央部で折り目（５）を折り、マスク本体（Ｂ）とマスク上部（Ａ）をずらして、（Ａ）と（Ｂ）の間は４０°から７０°くらいの角度（Ｅ）を設け、小穴（１ａ）、小穴（１ｂ）を重ねて、カシメなどの止め具（８）で固定し、小穴（２ａ）、小穴（２ｂ）を重ねて、カシメなどの止め具（９）で固定し、小穴（６）に紐（１０）を取り付け、小穴（７）に紐（１１）を取り付けた立体透明マスク。
【考案の詳細な説明】
【技術分野】
【０００１】  本考案は、透明シートなどの透明な素材一枚で、平面から立体に加工する事によって、顔面への密着性を高める、鼻と口を覆って飛沫感染予防でき、口元の動き、顔の表情が見え、コミュニケーシヨンがとりやすくなるように工夫し、透明な素材を使うことで、布や不織布素材より飛沫遮断でき、飛沫感染予防効果は高くなり、しかも、折り畳んだ状態で収納できることが特徴の立体透明マスクに関するものである。
【背景技術】
【０００２】  従来のフェイスマスクは、布や不織布製のため口元や顔表情が隠れてしまい、話す言葉がはっきり聞き取れなかったり、表情がわかりにくかった。
とくに、子供、高齢者や聴覚障害者など人々にとっては、表情が伝わりにくく、コミュニケーションの妨げとなる大きな問題となっていた。
新型コロナウィルス感染症に限らず、今後、様々な感染症が流行することが考えられる。
そういった状況に向け、マスクは自分を感染から守るためだけではなく、他の人に感染させないためにも使用することも大切である。
いま、流行したフェイスシールドは、口元全体を覆えないという不安点や持ち運び不便があり、問題点もある。
一方、飲食、販売や旅行など接客サービス業界現場では、口元や顔表情が見える透明マスクを必要とする要望が多くなっている。
【先行技術文献】
【特許文献】
【０００３】
【特許文献１】特開２０１９ー０２６９９５公報
【特許文献２】実用新案登録３２２７５３４号公報
【考案の概要】
【考案が解決しようとする課題】
【０００４】（イ）いま、流通しているフェイスシールドは、顔の上から下まで一枚で平面に作られており、周囲が開いているため、飛沫防止にも疑問があった。
一方、フェスシールドは、見た目から新型コロナウイルスだという物々しさがあり、相手に威圧感を与えてしまう部分もあり、着用者も動き不便な点があった。
（ロ）ところが、不織布製のマスクは口元が隠れてしまい、表情がわからなくて、とくに、子供、高齢者や聴覚障害者など人々コミュニケーションを取りにくくなる。
（ハ）一方、飲食、販売、旅行などサービス業界から学校、病院、医療機関などさまざまな業界で透明マスクを必要とする声が多くなっている。
（ニ）しかしながら、飛沫の遮断できるも表情を確認できる両立した立体透明マスクはなかった。
（ホ）使わないときは、本体を折り畳むことができないので、バッグに収納できなくて、荷物になっていた。
【考案を解決するための手段】
【０００５】  左右対称形のマスク本体（Ｂ）の上部にマスク上部（Ａ）を設け、両側に切り込み（３）と切り込み（４）を設け、マスク上部（Ａ）とマスク本体（Ｂ）の中心部分２ｍｍ〜８ｍｍ程度つないだ状態（Ｄ）を設け、マスク上部（Ａ）に弾性体（Ｃ）を取り付け、マスク上部（Ａ）の両側に左右対称の位置に小穴（１ａ）と、小穴（２ａ）を設け、マスク本体（Ｂ）の両側、左右対称の位置に小穴（１ｂ）、小穴（２ｂ）を設け、マスク本体（Ｂ）とマスク上部（Ａ）の中央部で折り目（５）を折り、マスク本体（Ｂ）とマスク上部（Ａ）をずらして、（Ａ）と（Ｂ）の角度は４０°から７０°くらい（Ｅ）を設け、小穴（１ａ）、小穴（１ｂ）を重ねて、カシメなどの止め具（８）で固定し、小穴（２ａ）、小穴（２ｂ）を重ねて、カシメなどの止め具（９）で固定し、小穴（６）に紐（１０）を取り付け、小穴（７）に紐（１１）を取り付けた立体透明マスク。
【考案の効果】
【０００６】（イ）切り込み入れるよりマスク上の鼻背部分を下の本体に折り返すことによって、鼻に接する部分を前向きに膨らませているので、顔面への密着性を高めることができ、飛沫感染予防効果は高くなる。
（ロ）一方、切り込みのところからわずかに隙間があることで、着用者が感じる息苦しさを大幅に軽減して呼吸が楽になる。
（ハ）繰り返し使えて経済的、アルコールなどで消毒して何回でも使える。
（ニ）とても軽いので耳への負担が少なくなる。
（ホ）シンプルなので、かつ容易に低コストで製造できる実用性も高い。
（ヘ）本体を折り畳むことができるので、バッグに収納できる。
（ト）顔の肌に当たる所は柔らかくて、クッションのような弾性体を取り付けによってズレにくい、頬に跡がつきにくい、肌の負担を軽減できる。
（チ）着用したままでも顔の確認できる。
たとえば、空港で入国検査をスムーズになる。
さらに、犯罪の防止にも役立つ。
（リ）普通マスクの形をしたことで、違和感なく、圧迫感も少なく気楽にかける事ができる。
布や不織布素材より飛沫遮断効果を高い、感染予防機能の向上につながります、飛沫感染予防効果は高くなる。
【図面の簡単な説明】
【０００７】
【図１】  本考案の展開した状態を示した説明図である。
【図２】  本考案の折り畳んで組み立てた状態を示した説明図である。
【図３】  本考案の立体透明マスクの斜視図である。
【考案を実施するための形態】
【０００８】  以下、本考案の実施の形態について説明する。
左右対称形のマスク本体（Ｂ）の上部にマスク上部（Ａ）を設け、両側に切り込み（３）と切り込み（４）を設け、マスク上部（Ａ）とマスク本体（Ｂ）の中心部分２ｍｍ〜８ｍｍ程度つないだ状態（Ｄ）を設け、マスク上部（Ａ）に弾性体（Ｃ）を取り付け、マスク上部（Ａ）の両側に左右対称の位置に小穴（１ａ）と、小穴（２ａ）を設け、マスク本体（Ｂ）の両側、左右対称の位置に小穴（１ｂ）、小穴（２ｂ）を設け、マスク本体（Ｂ）とマスク上部（Ａ）の中央部で折り目（５）を折り、マスク本体（Ｂ）とマスク上部（Ａ）をずらして、（Ａ）と（Ｂ）の間は４０°から７０°くらいの角度（Ｅ）を設け、小穴（１ａ）、小穴（１ｂ）を重ねて、カシメなどの止め具（８）で固定し、小穴（２ａ）、小穴（２ｂ）を重ねて、カシメなどの止め具（９）で固定し、小穴（６）に紐（１０）を取り付け、小穴（７）に紐（１１）を取り付けた立体透明マスク。
本考案は以上のような構造である。
本考案を使用するときは、マスク上の鼻背部分を下の本体に折り返すことによって、鼻に接する部分を前向きに膨らませているので、顔面への密着性を高めることができ、飛沫感染予防効果は高くなる。
一方、切り込み（３）、切り込み（４）の所からわずかに隙間があることで、着用者が感じる息苦しさを大幅に軽減して呼吸が楽になる。
立体透明マスクだと繰り返し使えて、経済的、アルコールなどで消毒して、何回でも使える。
顔の肌に当たる所は柔らかくて、クッションのような弾性体（Ｃ）を取り付けによってズレにくい、頬に跡がにくい、肌の負担を軽減できる。
また、口元や顔表情が見えるので安心である。
さらに、声が聞き取りやすく、表情がわかるので、子供や高齢者など、人々にとって口形や表情が言葉の一部である手話言語や口話をコミュニケーション手段となさっていらっしゃる聴覚障害をお持ちの皆様は、透明マスクはコミュニケーションが取れやすくなる。
本考案の立体マスクは、普通の立体マスクのような形で、違和感がなく、気楽に付けられる。
しかも布や不織布素材より飛沫遮断効果を高い、感染予防機能の向上につながります、飛沫感染予防効果は高くなる。
作り方は、シンプルで、コストも低く、実用性高いである。
【符号の説明】
【０００９】Ａ  マスク上部（鼻部）
Ｂ  マスク本体
Ｃ  弾性体
Ｄ  上部Ａと本体Ｂの繋がり部分（２ｍｍ〜８ｍｍ程度）
Ｅ  上部Ａと本体Ｂの繋がりの角度（４０°〜７０°）
１ａ  小穴
１ｂ  小穴
２ａ  小穴
２ｂ  小穴
３  切り込み
４  切り込み
５  マスク中心折り目
６  小穴
７  小穴
８  止め具
９  止め具
１０  紐
１１  紐
【図１】
0003231048.tif 000003
【図２】
0003231048.tif 000004
【図３】
0003231048.tif 000005